【手続補正書】
【提出日】平成18年7月3日(2006.7.3)
【手続補正１】
【補正対象書類名】明細書
【補正対象項目名】全文
【補正方法】変更
【補正の内容】
【書類名】    明細書
【発明の名称】  気化式加湿機
【特許請求の範囲】
【請求項１】  吸込口から吸気して吹出口に送られる空気流路に送風機を設けた本体と、この本体の空気流路に設けられるヒーターおよび加湿部と、この加湿部が着脱自在に装着される水槽ユニットと、この水槽ユニットに水を供給するように設けられる給水タンクとを備え、前記加湿部を装着した水槽ユニットを前記本体に着脱自在に設けた気化式加湿機。
【請求項２】  給水タンクを本体の天面側より装着するように設け、前記給水タンクの装着時に水槽ユニットに係合して水槽ユニットが脱離しないように構成した請求項１記載の気化式加湿機。
【請求項３】  フィルター材をジグザグ状に形成した加湿フィルターと、この加湿フィルターを装着する加湿フィルター枠とにより形成した加湿部と、この加湿部が水槽ユニットに装着されるように前記水槽ユニットの底部に設けられる嵌合部とを備え、前記加湿部を前記嵌合部に着脱自在に嵌着する構成とした請求項１記載の気化式加湿機。
【請求項４】  嵌合部が形成される水槽ユニットの嵌合部の風上側の底面および風下側の底面を嵌合部側に向かい下降する傾斜面で形成した請求項１または３記載の気化式加湿機。
【請求項５】  嵌合部の風上側の底面の高さ位置を、風下側の底面の高さ位置より高い位置に形成した請求項３または４記載の気化式加湿機。
【請求項６】  嵌合部の底面に複数の突起を設け、加湿部を前記嵌合部の底面より浮かした状態で支持する構成とした請求項３記載の気化式加湿機。
【請求項７】  水槽ユニットに一端を支点に上方に回転する水位検出フロートを設けた請求項１記載の気化式加湿機。
【請求項８】  水位検出フロートの上方への回転範囲を、給水タンクの装着により規制する構成とした請求項７記載の気化式加湿機。
【請求項９】  吸込口から吸気して吹出口に送られる空気流路に送風機を設けた本体と、この本体の空気流路に設けられる加湿部と、この加湿部が着脱自在に装着される水槽ユニットと、この水槽ユニットに水を供給するように設けられる給水タンクとを備え、前記加湿部を装着した水槽ユニットを前記本体に着脱自在に設け、前記水槽ユニットと前記給水タンクを前記本体に装着している場合は、前記水槽ユニットは前記給水タンクに係合して前記本体より脱離しないように構成した気化式加湿機。
【請求項１０】  水を吸い上げるフィルター材からなる加湿フィルターを備えた前記加湿部と、この加湿部が水槽ユニットに装着されるように前記水槽ユニットの底部に設けられる嵌合部とを備え、前記加湿部を前記嵌合部に着脱自在に嵌着する構成とした請求項９記載の気化式加湿機。
【発明の詳細な説明】
【０００１】
【発明の属する技術分野】
本発明は、水槽の水を吸い上げた加湿部に空気を接触させて気化し加湿する気化式加湿機に関する。
【０００２】
【従来の技術】
近年、暖房器の普及に伴ない室内空気が乾いた状態の空気となり、人体に悪影響を及ぼすことから、適当な湿度を維持するため加湿器を使用することが多くなってきている。
従来、この種の気化式加湿機の一例として図９に示されるものが知られている。以下、その構成について図９を参照しながら説明する。
【０００３】
図に示すように、高吸水率の材料で形成され多数の貫通孔１０１を有する蒸発器１０２の周囲に吸水材１０３を密着させて取付け、吸水材１０３をタンクの中に入れられた水１０４に浸し、全周から蒸発器１０２に水分を供給する。
【０００４】
そして、蒸発器１０２の片側には送風機１０５およびヒーター１０６を配置して蒸発器１０２に送風を行い、貫通孔１０１の内部を空気が通過するときに、空気の蒸気圧の差で蒸発器１０２の水分が空気に拡散し、湿度の高い空気となって吹き出させる構成となっていた。
【０００５】
【発明が解決しようとする課題】
このような従来の気化式加湿機では、吸水材１０３を有した蒸発器１０２の設けられる水を入れたタンク１０４を取出して、タンク１０４および蒸発器１０２を掃除することや交換をすることについては何ら考慮されていないもので、清掃性が悪いという課題があり、フィルター等の清掃を容易にすることが要求されている。
【０００６】
本発明は、このような従来の課題を解決するものであり、フィルターおよび水槽の清掃性の良い気化式加湿機を提供することを目的としている。
【０００７】
【課題を解決するための手段】
本発明の気化式加湿機は上記目的を達成するために、吸込口から吸気して吹出口に送風する空気流路に送風機を設けた本体と、この本体の空気流路に設けられるヒーターおよび加湿部と、この加湿部が着脱自在に装着される水槽ユニットと、この水槽ユニットに水を供給するように設けられる給水タンクとを備え、前記加湿部
を装着した水槽ユニットを前記本体に着脱自在に設けた構成としたものである。
【０００８】
本発明によれば、加湿部および水槽の清掃性の良い気化式加湿機が得られる。
【０００９】
【発明の実施の形態】
本発明は、吸込口から吸気して吹出口に送風する空気流路に送風機を設けた本体と、この本体の空気流路に設けられるヒーターおよび加湿部と、この加湿部が着脱自在に装着される水槽ユニットと、この水槽ユニットに水を供給するように設けられる給水タンクとを備え、前記加湿部を装着した水槽ユニットを前記本体に着脱自在に設
けたものであり、水槽ユニットを本体より離脱することにより、水槽ユニットとともに加湿部が取外され、さらに加湿部を水槽ユニットより取外すことにより加湿部および水槽ユニットの清掃が容易にできることとなる。
【００１０】
以下、本発明の実施例について図面を参照しながら説明する。
【００１１】
【実施例】
（実施例１）
図１〜図８に示すように、後面に設けた吸込口１から吸気して天面に設けた吹出口２に送られる空気流路３に送風機４を設けた本体５と、本体５の空気流路３にヒーター６および加湿部７を設け、加湿部７を水槽ユニット８に着脱自在に設け、水槽ユニット８に水を供給する給水タンク９を本体６の天面側から挿入して装着できるようになっている。加湿部７を取付けた状態の水槽ユニット８を本体５に着脱自在に設け、給水タンク９を本体５の装着時には給水タンク９が水槽ユニット８に係合して水槽ユニット８が本体６より取り外せないように設けている。
【００１２】
加湿部７はフィルター材をジグザグ状に形成した加湿フィルター１０と、この加湿フィルター１０を装着する枠状の加湿フィルター枠１１とにより形成される。加湿部７が水槽ユニット８に装着されるように水槽ユニット８の底部に嵌合部１２を設け、加湿部７を嵌合部１２に着脱自在に設け、嵌合部１２が形成される水槽ユニット８の嵌合部１２に対する風上側の底面１３および、風下側の底面１４を嵌合部１２側に向かい傾斜する傾斜面１５で形成し、風上側の底面１３の高さ位置を風下側の底面１４の高さ位置より高い位置となるように形成している。嵌合部の底面１６には複数の突起１７を設け、加湿部７を嵌合部の底面１６より浮かした状態で支持している。
【００１３】
また空気流路３内に設けられるヒーター６は一面が加湿部７に対向し、残りの周囲３面に空気流路３内を流れる空気流が接触するように本体５に取付けられる。水槽ユニット８には一端を支点に上方に回動する水位検出フロート１８を設け、給水タンク９の装着時に水位検出フロート８の上方への回動が規制されるように設ける。
【００１４】
また、略逆字状で本体５に倒立自在に設けられ、吸込口１側に倒れる形状の運搬用取手１９を設け、吸込口１には吸込口１に設けられる浄化用フィルター２０を着脱するように、浄化用フィルター部を形成するグリル状部分につまみ２１を設け、運搬用取手１９を倒したときに運搬用取手１９がつまみ２１上に載置され受け止められるように気化式加湿機を構成する。
【００１５】
上記構成において、気化式加湿機を運転すると、送風機４により吸込口１より吸込まれた空気が空気流路３に送られ空気流路３に設けたヒーター６の周囲の３面に沿い流れて加熱されるとともに、ヒーター６が対向する部分の加湿部７も加熱される。一方ヒーター６により加熱空気流路３内を流れる温風は、水槽ユニット８の嵌合部１２に嵌合し水を吸い上げている加湿部７を通り水分が気化され加湿された状態の空気が吹出口２より吹出されて加湿されることとなる。
【００１６】
そして、加湿部７の設けられる水槽ユニット８に嵌合部１２を形成する風上側の底面１３と風下側の底面１４は嵌合部１２に向かい下降する傾斜面１５により空気流路３に流れる空気流がスムーズに流れるとともに、風上側の底面１３と風下側の底面１４に水槽ユニット８の水があふれるような状態になっても水は嵌合部１２側に流されることとなる。
【００１７】
また、風上側の底面１３の高さ位置を風下側の底面１４の高さ位置より高く形成することにより、嵌合部１２からあふれた場合の水は風下側の底面１４側に流れ、ヒーター６の設けられる風上側の底面１３側に流出することがなくなる。
【００１８】
また、水槽ユニット８に設けた水位検出フロート１８は一端を支点に上方に回動できることにより、水槽ユニット８の清掃を行うときは、水位検出フロート１８を上方に向け回動することにより水位検出フロート１８が対向して水槽ユニット８の底面を清掃することができるとともに、水位検出フロート１８は給水タンク９を装着することにより上方への回動が規制され、水面に波立ちが生じても水位検出フロートは揺動することなく正常な位置に保持されることとなり、水槽ユニット８の水位が正しく検出される。
【００１９】
また、本体５に設けられる運搬用取手１９は倒したとき、浄化用フィルター２０の着脱用に設けたつまみ２１により支持されることとなり、運搬時に運搬用取手１９を起立させるとき、スムーズに運搬用取手１９を起立させることができる。
【００２０】
このように本発明の実施例１の気化式加湿機によれば、吸込口１から吸気して吹出口２に送られる空気流路３に送風機４を設けた本体５と、この本体５の空気流路３に設けられるヒーター６および加湿部７と、この加湿部７が着脱自在に装着される水槽ユニット８と、この水槽ユニット８に水を供給するように設けられる給水タンク９とを備え、加湿部７を装着した水槽ユニット８を本体５に着脱自在に設けたので、水槽ユニット８を本体５より離脱することにより、水槽ユニット８とともに加湿部７が取外され、さらに加湿部７を水槽ユニット８より取外すことにより、加湿部７および水槽ユニット８の清掃ならびに加湿部７の交換が容易にできることとなる。
【００２１】
また、給水タンク９を本体５の天面側より装着するように設け、給水タンクの装着時に水槽ユニット８に係合して水槽ユニット８が本体５より離脱しないようにしたので、運搬時等において水槽ユニット８が本体５より離脱されることがなくなり、水槽ユニット８の脱落を防止することができる。
【００２２】
また、フィルター材をジグザグ状に形成した加湿フィルター１０と、この加湿フィルター１０を装着する加湿フィルター枠１１とにより形成した加湿部７と、この加湿部７が水槽ユニット８に装着されるように水槽ユニットの底部に設けられる嵌合部１２とを備え、加湿部７を嵌合部１２に着脱自在に嵌着するので、嵌合部１２の風上側および風下側に水槽ユニット８の水面が露出することがなくなり、水面が露出することにより発生する水滴の飛散が防止できる。
【００２３】
また、嵌合部１２が形成される水槽ユニット８の嵌合部１２の風上側の底面１３と風下側の底面１４を嵌合部１２側に向かい下降する傾斜面１５により形成したので、空気が傾斜面１５に沿いスムーズに流れることとなり、空気流路３を滑らかな形状に形成することができ、加湿温風効果が高まるとともに、嵌合部１２に貯水される水が嵌合部１２よりあふれる状態になっても常に水は嵌合部１２に戻るようになり、水滴が飛散されることもなくなる。
【００２４】
また、嵌合部７の風上側の底面１３の高さ位置を、風下側の底面１４の高さ位置より高い位置に形成したので、嵌合部７に貯水されている水の水位が上っても、水は高さの低い風下側の底面１４上に流れ、ヒーター６の設けられている風上側に流出することがなくなり、ヒーター６へ水滴が飛散されることおよび、ヒーター６への水浸入による損傷を防止できる。
【００２５】
また、嵌合部の底面１６に複数の突起を設け、加湿部７を嵌合部の底面１６より浮かした状態で支持するので、加湿部７への水の吸い上げが良くなり吸水効果が高められるとともに、加湿部７が嵌合部の底面１６に密着するのが防止されて加湿部７が固着されて離脱するのが困難になることが緩和され、さらに加湿部７を形成する加湿フィルター枠１１の金型抜き勾配の調整が容易となる。
【００２６】
また、空気流路３内に設けられるヒーター６を、空気流路３内を流れる空気流が周囲３面に接触して流れるように空気流路３の内壁との間に空間を形成し本体５に設けたので、ヒーター６から本体５へ直接伝わる伝燃量が少なくなり、本体５内部の温度上昇が解消される。
【００２７】
また、水槽ユニット８に一端を支点に上方に回動する水位検出フロートを設けたので、水槽ユニット８の清掃時に水槽ユニット８の底部に対向して設けられている水位検出フロート１７を１８０°回動することにより水位検出フロート１７が対向している水槽ユニット８の底面が露出し、清掃の困難な水位検出フロート１７の裏側部分の水あかの清掃を容易に行うことができる。
【００２８】
また、水位検出フロート１７の上方への回動範囲を給水タンク９の装着により規制するので、水位検出フロート１７の回動範囲を規制する規制部材を別個に設ける必要がなく、清掃時に規制部材が邪魔になり清掃性が悪くなるのが防止できる。
【００２９】
また、略Ｕ字状で本体５に倒立自在に設けられ、吸込口１側に倒れる形状の運搬用取手１９と、吸込口１に設けられる浄化用フィルター部２０を着脱するようにグリル部分に設けたつまみ２１とを備え、運搬用取手１９を倒したときに、浄化用フィルター部２０のつまみ２１により受け止められるので、つまみ２１が浄化用フィルター部２０の着脱と運搬用取手１９を受け止める部材を兼用することとなり、別個に運搬用取手１９を受け止めるための部材を設ける必要がなくなり、運搬用取手１９の使用時にも容易に運搬用取手１９を持つことができる。
【００３０】
【発明の効果】
以上の実施例から明らかなように、本発明によれば吸込口から吸気して吹出口に送られる空気流路に送風機を設けた本体と、この本体の空気流路に設けられるヒーターおよび加湿部と、この加湿部が着脱自在に装着される水槽ユニットと、この水槽ユニットに水を供給するように設けられる給水タンクとを備え、前記加湿部を装着した水槽ユ
ニットを前記本体に着脱自在に設けたので、清掃性が良くなるとともに、加湿部の交換も容易にできる効果のある気化式加湿機を提供できる。
【００３１】
また、給水タンクを本体の天面側より装着するように設け、前記給水タンクの装着時に水槽ユニットに係合して水槽ユニットが脱離しないように構成したので、本体の運搬時に水槽ユニットが脱落するのが防止できる。
【００３２】
また、フィルター材をジグザグ状に形成した加湿フィルターと、この加湿フィルターを装着する加湿フィルター枠とにより形成した加湿部と、この加湿部が水槽ユニットに装着されるように、前記水槽ユニットの底部に設けられる嵌合部とを備え、前記加湿部を前記嵌合部に着脱自在に装着する構成としたので、水が貯えられる嵌合部の風上側および風下側から水滴の飛散するのが防止できる。
【００３３】
また、嵌合部が形成される水槽ユニットの嵌合部の風上側の底面および風下側の底面を嵌合部側に向かい下降する傾斜面で形成したので、嵌合部の貯水が嵌合部外に流れる状態になっても嵌合部に戻るように作用する。
【００３４】
また、嵌合部の風上側の底面の高さ位置を、風下側の底面の高さ位置より高い位置に形成したので、ヒーターへの水の浸入が防止できる。
【００３５】
また、嵌合部の底面に複数の突起を設け、加湿部を前記嵌合部の底面より浮かした状態で支持する構成としたので、加湿部への吸水効果が高まるとともに、加湿部が密着して取り外しが困難になるのが防止できる。
【００３６】
また、水槽ユニットに一端を支点に上方に回動する水位検出フロートを設けたので、水槽ユニットの底面の清掃性を改善することができる。
【００３７】
また、水位検出フロートの上方への回動範囲を給水タンクの装着により規制する構成としたので、規制用の規制部材を別個に設ける必要がなく、清掃性も向上することができる。
【図面の簡単な説明】
【図１】
本発明の実施例の気化式加湿機の構成を示す断面図
【図２】
同気化式加湿機の内部構成を示す斜視図
【図３】
（イ）同気化式加湿機の給水タンク取付時の要部断面図
（ロ）同気化式加湿機の給水タンクを外した清掃時の要部断面図
【図４】
同気化式加湿機の加湿部の分解斜視図
【図５】
同気化式加湿機の水槽ユニットと加湿部の斜視図
【図６】
同気化式加湿機の水槽ユニットの斜視図
【図７】
同気化式加湿機の水位検出フロートの掃除時の状態の斜視図
【図８】
同気化式加湿機の斜視図
【図９】
従来の気化式加湿機の斜視図
【符号の説明】
１    吸込口
２    吹出口
３    空気流路
４    送風機
５    本体
６    ヒーター
７    加湿部
８    水槽ユニット
９    給水タンク
１０  加湿フィルター
１１  加湿フィルター枠
１２  嵌合部
１３  風上側の底面
１４  風下側の底面
１５  傾斜面
１６  嵌合部の底面
１７  突起
１８  水位検出フロート
１９  運搬用取手
２０  浄化用フィルター部
２１  つまみ